【手続補正書】
【提出日】平成19年4月12日(2007.4.12)
【手続補正１】
【補正対象書類名】明細書
【補正対象項目名】特許請求の範囲
【補正方法】変更
【補正の内容】
【特許請求の範囲】
【請求項１】  情報通信ネットワークに接続されたサーバーコンピュータにより、該サーバーコンピュータにアクセスしてきたユーザ端末においてユーザが商品を他人に紹介できるようにする商品紹介サービス提供方法であって、
前記サーバーコンピュータにアクセスしてきたユーザ端末から、紹介対象商品および紹介相手を指定した紹介要求を受信する紹介要求受信ステップと、
前記紹介要求で指定される紹介対象商品に関する情報を含む商品画面を、前記紹介要求で指定される紹介相手の端末に送信する商品画面送信ステップと、
前記商品画面の送信履歴を記録する送信履歴記録ステップと、を備えることを特徴とする方法。
【請求項２】
前記記録した送信履歴に基づいて、各商品の広告主へ請求すべき広告料の基礎となる広告料基礎データを生成する広告料データ生成ステップを更に備えることを特徴とする請求項１記載の方法。
【請求項３】
前記送信した商品画面を通じて紹介対象商品が購入された場合にその旨を前記送信履歴に記録し、
前記紹介対象商品が購入された旨の記録がされた送信履歴に基づいて、各商品の広告主へ請求すべき広告料の基礎となる広告料基礎データを生成する広告料データ生成ステップを更に備えることを特徴とする請求項１記載の方法。
【請求項４】
前記商品画面は、商品注文画面であることを特徴とする請求項１〜３のうち何れか１項記載の方法。
【請求項５】  請求項２記載の商品紹介サービス提供方法において、前記商品画面は商品紹介画面であり、前記送信履歴記録ステップでは、前記商品紹介画面を送信すると、当該商品紹介画面に係わる商品の広告主について、この広告主に係わる商品紹介画面がユーザへ送られた旨を示す情報を送信記録簿として記録し、
前記広告料データ生成ステップでは、前記送信記録簿を参照し、各広告主毎の前記商品紹介画面の送信履歴に基づいて前記広告料基礎データを生成することを特徴とする方法。
【請求項６】  請求項５記載の商品紹介サービス提供方法において、前記広告料基礎データは、各広告主毎に集計した前記商品紹介画面の送信回数であることを特徴とする方法。
【請求項７】  請求項１乃至６のうち何れか１項記載の商品紹介サービス提供方法において、前記生成された広告料基礎データに基づいて広告料を算定し、該算定した広告料を各広告主に請求するための処理を実行するステップを更に備えることを特徴とする方法。
【請求項８】  請求項１乃至３のうち何れか１記載の商品紹介サービス提供方法において、
前記商品画面は商品紹介画面であり、
前記商品紹介画面に固有の識別子を割り当てて記憶装置に格納するステップを更に備え、
前記紹介要求受信ステップは、紹介対象商品および紹介相手のアドレスを指定した紹介要求を受信し、
前記商品画面送信ステップは、
前記紹介要求で指定される紹介相手のアドレス宛に、前記識別子を含む電子メールを送信するステップと、
この電子メールの送信先であるユーザ端末から前記サーバーコンピュータへ前記識別子を指定したアクセスがあった場合に、前記識別子が割り当てられた商品紹介画面を前記記憶装置から読み出して当該ユーザ端末へ送信するステップとを含むことを特徴とする方法。
【請求項９】
請求項１乃至４のうち何れか１記載の商品紹介サービス提供方法において、
前記商品画面は商品注文画面であり、
前記商品注文画面に固有の識別子を割り当てて記憶装置に格納するステップを更に備え、
前記紹介要求受信ステップは、紹介対象商品および紹介相手のアドレスを指定した紹介要求を受信し、
前記商品画面送信ステップは、
前記紹介要求で指定される紹介相手のアドレス宛に、前記識別子を含む商品紹介画面としての電子メールを送信するステップと、
この電子メールの送信先であるユーザ端末から前記サーバーコンピュータへ前記識別子を指定したアクセスがあった場合に、前記識別子が割り当てられた商品注文画面を前記記憶装置から読み出して当該ユーザ端末へ送信するステップとを含むことを特徴とする方法。
【請求項１０】  請求項１乃至３のうち何れか１項記載の商品紹介サービス提供方法において、前記紹介要求受信ステップは、
前記アクセスしてきたユーザ端末から商品情報の要求があった場合に、その商品情報を含む商品表示画面を当該ユーザ端末へ送信する第１のステップと、
当該ユーザ端末から、前記商品表示画面に係わる商品を紹介対象商品とする紹介要求を受信する第２のステップとを含むことを特徴とする方法。
【請求項１１】  請求項１０記載の商品紹介サービス提供方法において、前記第２のステップは、
当該ユーザ端末へ、紹介相手のアドレスを含む所定の事項を記入するための入力画面を当該ユーザ端末へ送信するステップと、
当該ユーザ端末から返送されてきた前記入力画面への記入事項から紹介相手のアドレスを取得するステップとを含むことを特徴とする方法。
【請求項１２】  請求項１０または１１記載の商品紹介サービス提供方法において、前記サーバーコンピュータは電子モールサービスを提供する電子モールサーバーであり、前記商品表示画面は商品の購入注文を行うための商品注文画面であることを特徴とする方法。
【請求項１３】  請求項１２記載の商品紹介サービス提供方法において、前記商品画面は商品紹介画面であり、当該商品紹介画面に、当該商品に係わる前記商品注文画面へのリンクを含めることを特徴とする方法。
【請求項１４】  請求項１乃至１３のうち何れか１項記載の方法を実行するシステム。
【請求項１５】  請求項１０または１１記載の方法を実行するサーバーコンピュータにより構成され、前記商品表示画面は商品の購入注文を行うための画面であることを特徴とする電子モールシステム。
【請求項１６】  請求項１５記載の電子モールシステムであって、前記商品紹介画面は、当該商品に係わる前記商品注文画面へのリンクを含むことを特徴とする電子モールシステム。
【手続補正２】
【補正対象書類名】明細書
【補正対象項目名】０００６
【補正方法】変更
【補正の内容】
【０００６】
【課題を解決するための手段】
上記の目的を達成するため、本発明は、情報通信ネットワークに接続されたサーバーコンピュータにより、該サーバーコンピュータにアクセスしてきたユーザ端末においてユーザが商品を他人に紹介できるようにする商品紹介サービス提供方法であって、
前記サーバーコンピュータにアクセスしてきたユーザ端末から、紹介対象商品および紹介相手を指定した紹介要求を受信する紹介要求受信ステップと、
前記紹介要求で指定される紹介対象商品に関する情報を含む商品画面を、前記紹介要求で指定される紹介相手の端末に送信する商品画面送信ステップと、
前記商品画面の送信履歴を記録する送信履歴記録ステップと、を備えることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】